(57)【要約】【課題】角型電池を良好に固定でき、製造歩留まり及び製造効率を向上できる組電池を提供する。【解決手段】組電池は、それぞれ金属缶及び絶縁外装体を有した複数の角型電池１と、第１支持部材及び第１支持部材とともに複数の固定部５０を形成する第２支持部材を有したケースと、を備えている。各固定部５０は、第１接触部６０と、第２接触部７０とを含んでいる。第１接触部６０は突起６１、６２を含み、第２接触部７０は突起７１、７２を含んでいる。突起６１は、角Ａ１から側面Ｓの長さの２２％の範囲内で側面Ｓに接触し、少なくとも一部は角Ａ１から測って側面Ｓの長さの１７％乃至２２％の範囲内で側面Ｓに接触している。突起７１は、角Ａ２から側面Ｓの長さの２２％の範囲内で側面Ｓに接触し、少なくとも一部は角Ａ２から測って側面Ｓの長さの１７％乃至２２％の範囲内で側面Ｓに接触している。【選択図】図３
2011159597.tif 000002
【特許請求の範囲】
【請求項１】
それぞれ金属缶と、前記金属缶を外装した絶縁外装体と、を有した複数の角型電池と、
第１支持部材と、前記複数の角型電池を挟んで前記第１支持部材と対向配置され前記第１支持部材とともに前記複数の角型電池を固定する複数の固定部を形成する第２支持部材と、を有したケースと、を備え、
各固定部は、前記第１支持部材に設けられ各角型電池の角部に接触した第１接触部と、前記第２支持部材に設けられ前記角型電池の角部に対向した他の角部に接触した第２接触部と、を含み、
前記第１接触部は、前記角型電池の角を規定する第１面に接触した第１突起と、前記第１面とともに前記角を規定する第２面に接触した第２突起と、を含み、
前記第２接触部は、前記角型電池の前記角に対向した他の角を規定する第１面に接触した第１突起と、前記第１面とともに前記他の角を規定する第２面に接触した第２突起と、を含み、
前記角型電池の角部及び他の角部が互いに対向した平面方向において前記角型電池の各第１面は、各第２面より長く、
前記第１接触部の第１突起は、前記角から前記第１面の長さの２２％の範囲内で前記第１面に接触し、少なくとも一部は前記角から測って前記第１面の長さの１７％乃至２２％の範囲内で前記第１面に接触し、
前記第２接触部の第１突起は、前記他の角から前記第１面の長さの２２％の範囲内で前記第１面に接触し、少なくとも一部は前記他の角から測って前記第１面の長さの１７％乃至２２％の範囲内で前記第１面に接触している組電池。
【請求項２】
前記角型電池は、前記絶縁外装体から外れ、前記角を規定する第２面の外側に露出した正、負両極端子をさらに有し、
前記第１支持部材は前記角型電池の前記角を規定する第２面と対向し、前記第２支持部材は前記角型電池の前記他の角を規定する第２面と対向している請求項１に記載の組電池。
【請求項３】
前記第１支持部材は、第１支持部材本体と、前記第１支持部材本体から突出し前記角型電池の第１面と対向し前記複数の第１接触部の複数の第１突起が設けられた複数の突出部と、を有し、
前記第２支持部材は、第２支持部材本体と、前記第２支持部材本体から突出し前記角型電池の第１面と対向し前記複数の第２接触部の複数の第１突起が設けられた複数の他の突出部と、を有し、
前記複数の突出部及び複数の他の突出部は、互い違いに並んでいる請求項１に記載の組電池。
【請求項４】
前記固定部は、前記角型電池の前記平面方向に位置した他の２つの角部に接触した第３接触部及び第４接触部をさらに含み、前記第１接触部及び第２接触部とともに前記角型電池を固定する請求項１に記載の組電池。
【発明の詳細な説明】
【技術分野】
【０００１】
この発明は、組電池に関し、特に複数の角型電池を有した組電池に関する。
【背景技術】
【０００２】
一般に、電源として、複数の電池を備えた組電池が知られている。複数の電池は、バスバーにて直列又は並列に接続されている。電池としては、リチウムイオン二次電池等の二次電池が用いられる。また、組電池はケースを備え、複数の電池はケース内に収容されている（例えば、特許文献１及び２参照）。
【０００３】
電池としての角型電池は、金属缶と、金属缶の中に収容された所定の電極コイル及び電解液等を有している。上記角型電池においては、金属缶が負極端子又は正極端子と同電位となっている場合が多い。例えば、金属缶が正極端子と同電位になっている場合を考えると、導電性の部品（例えば、角型電池自体）を角型電池上に誤って落下させた場合、負極端子と正極端子同士あるいは負極端子と金属缶同士が接触し、短絡する事故が起こりえる。この短絡事故は、複数の角型電池を組み込む組立作業中に起こりがちである。
【０００４】
高出力大容量の角型電池を外部短絡させた場合には、角型電池に大電流での短絡が生じ、角型電池に発熱や破裂発火が生じる恐れがある。この場合、組立作業中の作業者への影響も起こりえる。そこで、角型電池は、金属缶を絶縁外装体で被覆して形成されている。これにより、短絡事故を防ぐことができる。
【先行技術文献】
【特許文献】
【０００５】
【特許文献１】特開２００６−３３８９３４号公報
【特許文献２】特開２００８−２５１３５２号公報
【発明の概要】
【発明が解決しようとする課題】
【０００６】
上記絶縁外装体としては、熱収縮性あるいは粘着性の絶縁フィルムを用いることがある。絶縁外装体で被覆された角型電池の場合、絶縁外装体の厚み公差は小さくない。絶縁外装体に熱収縮性の絶縁フィルムを使うと、熱のかけ方で収縮性が異なり、絶縁フィルムの膜厚にムラが生じることになる。
【０００７】
このような絶縁フィルムで外装された角型電池を固定するため、角型電池はケースに挿入される。角型電池をケース内に挿入するためにケースの挿入面に形成された挿入口が角型電池とほぼ同様のサイズの場合、角型電池の絶縁フィルムが挿入口に当たり、フィルムの開後面が外装ケースの開口に当たり、無理に角型電池を挿入すると絶縁フィルムにめくれ等の不具合が生じてしまう。
【０００８】
そこで、ケースの挿入口を角型電池より大きいサイズに設定し、絶縁フィルムのめくれ等の問題を解消することが考えられる。しかしながら、この場合、ケースは角型電池を固定することはできない。このため、組電池に外部衝撃や振動が加わった際、バスバー取り付け部や、正、負両極端子等に不適切な力が加わり、バスバー脱落などの原因で上記外部短絡による発熱、発火等のリスクが高くなる。
【０００９】
また、組電池の構造体としての強度が落ちるため、組電池に外部衝撃や振動等が加わり、外装ケースに割れ等の不具合が発生したり、組電池が脱落したりする等し、組電池を設置している装置が機能しなくなる可能性が高まる。また、角型電池の寸法のバラツキを軽減するために、一部の絶縁フィルムを削除することも可能である。しかしながら、この場合、金属缶がむき出しになってしまう。このため、組電池の組立作業中に、角型電池の外部短絡により、角型電池に発熱や発火が生じるリスクが高まることになる。  
この発明は以上の点に鑑みなされたもので、その目的は、角型電池を良好に固定でき、製造歩留まり及び製造効率を向上できる組電池を提供することにある。
【課題を解決するための手段】
【００１０】
上記課題を解決するため、本発明の態様に係る組電池は、
それぞれ金属缶と、前記金属缶を外装した絶縁外装体と、を有した複数の角型電池と、
第１支持部材と、前記複数の角型電池を挟んで前記第１支持部材と対向配置され前記第１支持部材とともに前記複数の角型電池を固定する複数の固定部を形成する第２支持部材と、を有したケースと、を備え、
各固定部は、前記第１支持部材に設けられ各角型電池の角部に接触した第１接触部と、前記第２支持部材に設けられ前記角型電池の角部に対向した他の角部に接触した第２接触部と、を含み、
前記第１接触部は、前記角型電池の角を規定する第１面に接触した第１突起と、前記第１面とともに前記角を規定する第２面に接触した第２突起と、を含み、
前記第２接触部は、前記角型電池の前記角に対向した他の角を規定する第１面に接触した第１突起と、前記第１面とともに前記他の角を規定する第２面に接触した第２突起と、を含み、
前記角型電池の角部及び他の角部が互いに対向した平面方向において前記角型電池の各第１面は、各第２面より長く、
前記第１接触部の第１突起は、前記角から前記第１面の長さの２２％の範囲内で前記第１面に接触し、少なくとも一部は前記角から測って前記第１面の長さの１７％乃至２２％の範囲内で前記第１面に接触し、
前記第２接触部の第１突起は、前記他の角から前記第１面の長さの２２％の範囲内で前記第１面に接触し、少なくとも一部は前記他の角から測って前記第１面の長さの１７％乃至２２％の範囲内で前記第１面に接触している。
【発明の効果】
【００１１】
この発明によれば、角型電池を良好に固定でき、製造歩留まり及び製造効率を向上できる組電池を提供することができる。
【図面の簡単な説明】
【００１２】
【図１】本発明の実施の形態に係る組電池を示す分解斜視図である。
【図２】図１に示した角型電池を示す斜視図である。
【図３】上記組電池の一部を示す拡大透視図であり、特に、第１接触部の突起、並びに第２接触部の突起が角型電池に接触している状態を示す図である。
【図４】上記角型電池の側面の位置に対する側面の変形量及び側面の変形率を表で示した図である。
【図５】上記角型電池の側面の位置に対する側面の変形率をグラフで示した図である。
【図６】上記実施の形態に係る組電池の変形例を示す断面図である。
【図７】図６に示した組電池の分解斜視図である。
【図８】図６に示した組電池の他の分解斜視図である。
【発明を実施するための形態】
【００１３】
以下、図面を参照しながらこの発明の実施の形態に係る組電池について詳細に説明する。  
図１乃至図３に示すように、組電池は、複数の角型電池１と、ケース２とを備えている。
【００１４】
角型電池１は、二次電池であり、扁平な矩形状に形成されている。角型電池１は、互いに直交した第１方向ｄ１及び第２方向ｄ２に沿った平面方向に扁平である。ここでは、組電池は、第１方向ｄ１及び第２方向ｄ２に直交した第３方向ｄ３に３個並べられた３個の角型電池１を備えている。複数の角型電池１は、互いに間隔を置いて位置している。
【００１５】
各角型電池１は、扁平な矩形状の金属缶１１と、金属缶１１を外装した絶縁外装体としての絶縁フィルム１２と、を有している。金属缶１１は、例えばアルミニウムで形成されている。なお、図示しないが、角型電池１は、金属缶１１の内部に、正、負両極を有した電極群と、非水電解液とを密封して形成されている。
【００１６】
上記平面方向において、角型電池１は、第１方向ｄ１に対向した底面Ｂと、第２方向ｄ２に対向した側面Ｓと、これら底面Ｂ及び側面Ｓで規定される４つの角Ａ１、Ａ２、Ａ３、Ａ４を有している。この実施の形態において、側面Ｓは第１面であり、底面Ｂは第２面であり、側面Ｓは底面Ｂより長い。角型電池１は、絶縁フィルム１２から外れ、底面Ｂの外側に露出した正極端子１３及び負極端子１４をさらに有している。側面Ｓの平面方向（第１方向ｄ１）の長さをＬとする。この実施の形態において、Ｌ＝９０ｍｍである。
【００１７】
ケース２は、第１支持部材２０と、第２支持部材３０とを有している。第１支持部材２０及び第２支持部材３０を形成する材料としては、例えば、ＰＰ（ポリプロピレン）やＰＣ（ポリカーボネート）などの合成樹脂を利用できる。第１支持部材２０及び第２支持部材３０は、複数の角型電池１を挟んで互いに対向配置されている。第１支持部材２０及び第２支持部材３０は、互いにネジ、接着剤又は粘着テープ等で固定されている。
【００１８】
第１支持部材２０は、第１支持部材本体２１と、第１支持部材本体２１から突出し角型電池１の側面Ｓと対向した突出部２２と、第１支持部材本体２１から突出し第３方向ｄ３に角型電池１と対向した複数の突出部２３（全ては図示せず）とを有している。第１支持部材本体２１には、正、負両極端子１３、１４を露出した複数の開口部が形成されている。
【００１９】
第２支持部材３０は、第２支持部材本体３１と、第２支持部材本体３１から突出し角型電池１の側面Ｓと対向した突出部３２と、第２支持部材本体３１から突出し第３方向ｄ３に角型電池１と対向した複数の突出部３３とを有している。なお、突出部２３及び突出部３３は、角型電池１の第３方向ｄ３のズレを規制するものである。
【００２０】
第１支持部材２０及び第２支持部材３０は、複数の角型電池１を固定する複数の固定部５０を形成している。各固定部５０は、第１接触部６０と、第２接触部７０とを含んでいる。第１接触部６０は、第１支持部材２０に設けられ各角型電池１の角部に接触している。第２接触部７０は、第２支持部材３０に設けられ上記角型電池１の角部に対向した他の角部に接触している。
【００２１】
第１接触部６０は、角型電池１の角Ａ１を規定する側面Ｓに接触した突起６１と、上記側面Ｓとともに角Ａ１を規定する底面Ｂに接触した突起６２と、を含んでいる。この実施の形態において、突起６１は第１突起であり、突起６２は第２突起である。突起６１は突出部２２に設けられ、突起６２は第１支持部材本体２１に設けられている。
【００２２】
第２接触部７０は、角型電池１の角Ａ１に対向した他の角Ａ２を規定する側面Ｓに接触した突起７１と、上記側面Ｓとともに角Ａ２を規定する底面Ｂに接触した突起７２と、を含んでいる。この実施の形態において、突起７１は第１突起であり、突起７２は第２突起である。突起７１は突出部３２に設けられ、突起７２は第２支持部材本体３１に設けられている。  
複数の角型電池１の正、負両極端子１３、１４は、図示しないバスバーでそれぞれ接続されている。
【００２３】
ここで、角型電池１の平面方向（第１方向ｄ１）において、側面Ｓの長さの１７％を１７％Ｌとし、側面Ｓの長さの２２％を２２％Ｌとする。  
第１接触部６０の突起６１は、角Ａ１から側面Ｓの長さの２２％の範囲内で側面Ｓに接触し、突起６１の少なくとも一部は角Ａ１から測って側面Ｓの長さの１７％乃至２２％の範囲内で側面Ｓに接触している。第２接触部７０の突起７１は、角Ａ２から側面Ｓの長さの２２％の範囲内で側面Ｓに接触し、突起７１の少なくとも一部は角Ａ２から測って側面Ｓの長さの１７％乃至２２％の範囲内で側面Ｓに接触している。
【００２４】
別の言い方をすると、第１接触部６０の突起６１は、角Ａ１から２２％Ｌの範囲内で側面Ｓに接触し、突起６１の少なくとも一部は角Ａ１から測って１７％Ｌから２２％Ｌの範囲内で側面Ｓに接触している。第２接触部７０の突起７１は、角Ａ２から２２％Ｌの範囲内で側面Ｓに接触し、突起７１の少なくとも一部は角Ａ２から測って１７％Ｌから２２％Ｌの範囲内で側面Ｓに接触している。  
なお、突起６１及び突起７１は絶縁フィルム１２に接触し、突起６２及び突起７２は金属缶１１に接触している。
【００２５】
ここで、本願発明者等は、上記角型電池１の側面Ｓの位置に対する側面Ｓの第２方向ｄ２の変形量の変化について調査した。調査する際、上記角型電池１の側面Ｓの一端（角Ａ１；０ｍｍ）から他端（角Ａ４；９０ｍｍ）までの複数個所で変形量を調査した。調査した結果、側面Ｓの中央から一端に向かっての変形量と他端に向かっての変形量とはほぼ同一であった。このため、以下、角型電池１の側面Ｓの一端から中央までの範囲内における側面Ｓの変形量の調査結果を示し、変形量を基に算出した側面Ｓの変形率も併せて示す。
【００２６】
図４は、角型電池１の側面Ｓの一端から中央までの範囲内において調査した側面Ｓの位置、側面Ｓの変形量、及び側面Ｓの変形率を表で示す図である。  
図に示すように、角Ａ１から測って０ｍｍの側面Ｓの位置（側面Ｓの一端；角Ａ１）の変形量は０．２９９ｍｍであった。０ｍｍの位置での変形率を１００％とした。  
角Ａ１から測って５ｍｍの側面Ｓの位置の変形量は０．８８６ｍｍであった。５ｍｍの位置での変形率を算出したところ２９６％であった。
【００２７】
角Ａ１から測って１０ｍｍの側面Ｓの位置の変形量は１．１６ｍｍであった。１０ｍｍの位置での変形率を算出したところ３８７％であった。  
角Ａ１から測って１５ｍｍの側面Ｓの位置の変形量は１．２７ｍｍであった。１５ｍｍの位置での変形率を算出したところ４２５％であった。
【００２８】
角Ａ１から測って３０ｍｍの側面Ｓの位置の変形量は１．３８ｍｍであった。３０ｍｍの位置での変形率を算出したところ４６１％であった。  
角Ａ１から測って４５ｍｍの側面Ｓの位置（側面Ｓの中央）の変形量は１．４６ｍｍであった。４５ｍｍの位置での変形率を算出したところ４８８％であった。
【００２９】
図５は、角型電池１の側面Ｓの一端から中央までの範囲内において調査した側面Ｓの位置に対する側面Ｓの変形率の変化をグラフで示す図である。  
図から分かるように、角Ａ１から測って２０ｍｍを越えた側面Ｓの範囲では、側面Ｓの変形率が高くなってしまう。このため、突起６１は角Ａ１から２０ｍｍの範囲内での側面Ｓへの接触が好ましい。
【００３０】
また、角Ａ１から測って０ｍｍ以上１５ｍｍ未満の側面Ｓの範囲では、側面Ｓの変形率が安定しない。このため、突起６１の少なくとも一部は角Ａ１から測って１５ｍｍから２０ｍｍの範囲内での側面Ｓへの接触が好ましい。
【００３１】
言い方を変えると、突起６１は、角Ａ１から２２％Ｌの範囲内で側面Ｓに接触し、突起６１の少なくとも一部は角Ａ１から測って１７％Ｌから２２％Ｌの範囲内で側面Ｓに接触していることが好ましい。なお、突起７１に関しても突起６１と同様に、角Ａ２を規定する側面Ｓに接触していることが好ましい。
【００３２】
さらに、本願発明者等は、上記角型電池１の底面Ｂの位置に対する底面Ｂの第１方向ｄ１の変形量の変化について調査した。調査した結果、底面Ｂの変形量は、全域で一定であり、僅かであった。
【００３３】
以上のように構成された組電池によれば、組電池は、複数の角型電池１と、ケース２とを備えている。ケース２は、第１支持部材２０と、第１支持部材２０とともに複数の角型電池１を固定する複数の固定部５０を形成する第２支持部材３０とを有している。各固定部は、各角型電池１の角部に接触した第１接触部６０と、角型電池１の他の角部に接触した第２接触部７０とを含んでいる。第１接触部６０は突起６１及び突起６２を含み、第２接触部７０は突起７１及び突起７２を含んでいる。
【００３４】
突起６１は、角Ａ１から２２％Ｌの範囲内で側面Ｓに接触し、少なくとも一部は角Ａ１から測って１７％Ｌから２２％Ｌの範囲内で側面Ｓに接触している。突起７１は、角Ａ２から２２％Ｌの範囲内で側面Ｓに接触し、少なくとも一部は角Ａ２から測って１７％Ｌから２２％Ｌの範囲内で側面Ｓに接触している。
【００３５】
ケース２は、各角型電池１の一対の角部を挟んで固定するタイプのものである。このため、角型電池１が挿入される挿入口を有するタイプのケースの場合に絶縁フィルム１２に生じていた、めくり等の不具合の発生を防止することができる。
【００３６】
各角型電池１は、ケース２、特に突起６１、突起６２、突起７１及び突起７２により、がたつくことなく、しっかり固定される。組電池に外部衝撃や振動が加わっても、バスバー取り付け部や、正、負両極端子等に加わる不適切な力は、従来の組電池に比べて低減されるため、バスバーの脱落を防止することができ、バスバーの脱落が原因で生じる外部短絡による発熱、発火等のリスクを回避することができる。
【００３７】
組電池の構造体としての強度は従来の組電池と比べて高い。このため、組電池に外部衝撃や振動等が加わった場合に、ケース２に生じる割れ等の不具合の発生を低減でき、組電池が脱落したりするリスクや、組電池を設置している装置が機能しなくなるリスク等を回避することができる。
【００３８】
各角型電池１に対するケース２の接触面積は、従来の組電池に比べて僅かである。特に、突起６１及び突起７１は、変形率が高くなく、変形率が安定した範囲の側面Ｓに接触している。
【００３９】
これにより、突起６１及び突起７１が接触される個所の絶縁フィルム１２を削除しなくとも、角型電池１ががたつくこと無く角型電池１を良好に固定することができる。このため、組電池の組立作業中に、角型電池１の外部短絡により、角型電池に発熱や発火が生じるリスクを一層回避することができる。
【００４０】
また、各角型電池１の絶縁フィルム１２に対するケース２の接触面積を小さくできるため、組電池の組立作業中においては、絶縁フィルム１２のめくれを低減することができる。そして、角型電池１の全体に絶縁フィルム１２が巻かれていても、角型電池１の寸法のばらつきを吸収し易くできる。  
上記のことから、角型電池を良好に固定でき、製造歩留まり及び製造効率を向上できる組電池を得ることができる。
【００４１】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００４２】
例えば、組電池は、２個又は４個以上の角型電池１を備えていてもよい。  
図６乃至図８に示すように、組電池は、１２個の角型電池１を備えていてもよい。角型電池１は、第２方向ｄ２に４個、第３方向ｄ３に３個並べられ、互いに間隔を置いて位置している。第１支持部材２０及び第２支持部材３０は、１２個全ての角型電池１を挟んで互いに対向配置されている。
【００４３】
第１支持部材２０は、第１支持部材本体２１と、複数の突出部２２と、複数の突出部２３とを有している。第２支持部材３０は、第２支持部材本体３１と、複数の突出部３２と、複数の突出部３３とを有している。複数の突出部２２及び複数の突出部３２は、第２方向ｄ２に互い違いに並んでいる。上記した他、図６乃至図８に示した組電池は、上記実施の形態の組電池と同様に形成されている。上記のように組電池が構成されても、上記実施の形態と同様の効果を得ることができる。
【００４４】
ケース２は、第１支持部材２０及び第２支持部材３０の２つの支持部材を有しているが、これに限定されるものではなく、２つ以上の部材（支持部材）を有していれば上述した効果を得ることができる。
【００４５】
各固定部５０は、角型電池１の上記平面方向に位置した他の２つの角部に接触する第３接触部及び第４接触部の少なくとも１つをさらに含んでいてもよい。例えば、各固定部５０が第１接触部６０、第２接触部７０、第３接触部及び第４接触部を含んでいる場合、固定部５０は、これらの接触部を角型電池１の平面方向に位置した全ての角部に接触させ、角型電池を固定すればよい。
【００４６】
上記角型電池１において、底面Ｂが側面Ｓより長くともよい。この場合、側面Ｓが第２面であり、底面Ｂが第１面であり、突起６２及び突起７２がそれぞれ第１突起であり、突起６１及び突起７１がそれぞれ第２突起である。
【００４７】
上記の場合、第１接触部６０の突起６２が、角Ａ１から底面Ｂの長さの２２％の範囲内で底面Ｂに接触し、突起６２の少なくとも一部は角Ａ１から測って底面Ｂの長さの１７％乃至２２％の範囲内で底面Ｂに接触し、第２接触部７０の突起７２が、角Ａ２から底面Ｂの長さの２２％の範囲内で底面Ｂに接触し、突起７２の少なくとも一部は角Ａ２から測って底面Ｂの長さの１７％乃至２２％の範囲内で底面Ｂに接触していることにより、上述した効果を得ることができる。
【符号の説明】
【００４８】
１…角型電池、２…ケース、１１…金属缶、１２…絶縁フィルム、１３…正極端子、１４…負極端子、２０…第１支持部材、２１…第１支持部材本体、２２，２３…突出部、３０…第２支持部材、３１…第２支持部材本体、３２，３３…突出部、５０…固定部、６０…第１接触部、６１，６２…突起、７０…第２接触部、７１，７２…突起、Ａ１，Ａ２，Ａ３，Ａ４…角、Ｂ…底面、Ｓ…側面。
【図１】
2011159597.tif 000003
【図２】
2011159597.tif 000004
【図３】
2011159597.tif 000005
【図４】
2011159597.tif 000006
【図５】
2011159597.tif 000007
【図６】
2011159597.tif 000008
【図７】
2011159597.tif 000009
【図８】
2011159597.tif 000010